(57)【要約】【課題】筐体１１内に設けられる熱板２の温度を目標温度まで昇温させるにあたり、筐体１１内において熱板２から離れた部位の温度を速やかに安定させて、当該熱板２による基板Ｗの処理を速やかに開始することができる技術を提供すること。【解決手段】熱板２を目標温度まで昇温させるときに、熱板２から離れた部位の温度を検出する第２の温度検出部３１の温度検出値が、上記の部位の目標温度である周囲目標温度から予め決められた温度だけ低い温度である制御切り替え用の温度に達するまでは、前段電力制御部５３によりヒーター２１の電力制御を行う。そして、第２の温度検出部３１の温度検出値が制御切り替え用の温度に達した後は、後段電力制御部５２によりヒーター２１の電力制御を行う。【選択図】図４
2018046070.tif 000002
【特許請求の範囲】
【請求項１】
筐体内に設けられ、ヒーターによって加熱されると共にその上に基板が載置される熱板と、
前記熱板の温度を検出する第１の温度検出部と、
前記筐体内であって前記熱板から離れた部位の温度を検出する第２の温度検出部と、
前記ヒーターの電力制御を行う前段電力制御部と、
前記第１の温度検出部と熱板の目標温度との偏差に基づいて、前記ヒーターの電力制御を行う後段電力制御部と、
熱板を目標温度まで昇温させるときに、前記第２の温度検出部の温度検出値が前記熱板の目標温度に対応する前記部位の目標温度である周囲目標温度から予め決められた温度だけ低い温度である制御切り替え用の温度に達するまでは、前段電力制御部によりヒーターの電力制御を行い、前記第２の温度検出部の温度検出値が前記制御切り替え用の温度に達した後は、後段電力制御部によりヒーターの電力制御を行うように電力制御部を切り替える切り替え部と、を備え、
前記前段電力制御部は、前記第１の温度検出部の温度検出値と熱板の目標温度との偏差に基づいて前記ヒーターの電力制御を行うときよりも、前記部位の昇温速度が早くなるように構成されていることを特徴とする基板加熱装置。
【請求項２】
前記熱板の目標温度と前記周囲目標温度とを対応付けたデータを記憶する記憶部と、
前記熱板の目標温度が指定されたときに当該熱板の目標温度に対応する周囲目標温度を前記記憶部から読み出す読み出し部と、を備えていることを特徴とする請求項１記載の基板加熱装置。
【請求項３】
前記前段電力制御部は、電力指令値があらかじめ決められたパターンに基づいて出力されるように構成されていることを特徴とする請求項１または２に記載の基板加熱装置。
【請求項４】
前記電力指令値は、前記第２の温度検出部の温度検出値が前記制御切り替え用の温度に近づいたときに減少することを特徴とする請求項３記載の基板加熱装置。
【請求項５】
前記熱板を冷却させるための冷却部と、
前記冷却部を、第１の位置と、当該第１の位置よりも前記熱板から離れた第２の位置との間で移動させるための移動機構と、
が設けられ、
熱板を目標温度まで降温させるときに、前記第２の温度検出部により検出される温度に基づいて前記冷却部が第１の位置に位置する状態と、第２の位置に位置する状態とが互いに切り替えられることを特徴とする請求項１ないし４のいずれか一つに記載の基板加熱装置。
【請求項６】
前記冷却部は、前記基板を前記熱板に搬送するための搬送機構であることを特徴とする請求項５記載の基板加熱装置。
【請求項７】
前記筐体内を冷却するための冷却ガスを当該筐体内に吐出する冷却ガス吐出部を備え、
熱板を目標温度まで降温させるときに、前記第２の温度検出部により検出される温度に基づいて前記冷却ガス吐出部が前記冷却ガスを吐出することを特徴とする請求項１ないし６のいずれか一つに記載の基板加熱装置。
【請求項８】
筐体内に設けられ、ヒーターによって加熱されると共にその上に基板が載置される熱板と、
前記熱板の温度を検出する第１の温度検出部と、
前記筐体内であって前記熱板から離れた部位の温度を検出する第２の温度検出部と、
前記ヒーターの電力制御を行う前段電力制御部と、
前記第１の温度検出部と熱板の目標温度との偏差に基づいて、前記ヒーターの電力制御を行う後段電力制御部と、
を備える基板加熱装置を用いた基板加熱方法において、
熱板を目標温度まで昇温させるときに、前記第２の温度検出部の温度検出値が前記熱板の目標温度に対応する前記部位の目標温度である周囲目標温度から予め決められた温度だけ低い温度である制御切り替え用の温度に達するまでは、前段電力制御部によりヒーターの電力制御を行い、前記第２の温度検出部の温度検出値が前記制御切り替え用の温度に達した後は、後段電力制御部によりヒーターの電力制御を行うように電力制御部を切り替える工程と、
前記第１の温度検出部の温度検出値と熱板の目標温度との偏差に基づいて前記ヒーターの電力制御を行うときよりも、前記部位の昇温速度が早くなるように前記前段電力制御部による電力制御を行う工程と
を含むことを特徴とする基板加熱方法。
【請求項９】
ヒーターによって加熱されると共に、その上に基板が載置される熱板を備えた基板加熱装置に用いられるコンピュータプログラムを格納した記憶媒体であって、前記プログラムは請求項８に記載された基板処理方法を実行するためにステップが組まれていることを特徴とする記憶媒体。
【発明の詳細な説明】
【技術分野】
【０００１】
本発明は、基板が載置される熱板を備えた基板加熱装置、基板加熱方法及び記憶媒体に関する。
【背景技術】
【０００２】
半導体製造プロセスのフォトリソグラフィ工程においては、基板である半導体ウエハにレジストなどの薬液の塗布による各塗布膜の形成、塗布膜であるレジスト膜の露光、及び現像が行われる。そして、各塗布膜を形成した後や、レジスト膜の露光後で現像前において、ウエハは加熱装置により加熱される。この加熱装置にはヒーター及び温度センサを備え、載置されたウエハを加熱する熱板が設けられている。そして、この熱板においては温度センサによる検出温度に基づいて、ユーザーにより設定された熱板の温度（設定温度）になるように、ヒーターの出力が制御される。
【０００３】
例えばウエハのロットの切れ目などで上記の熱板の設定温度を上昇させる場合が有る。そのように設定温度の変更が行われることで熱板の温度が上昇するが、変更された設定温度に達して安定した直後においては、熱板の周囲の温度は当該熱板の温度変化に応じて変移する途中であり、不安定な状態となっている。このような状態でウエハを熱板に載置して加熱すると、周囲の雰囲気に熱板の熱が吸収されることによって、ウエハの面内の各部を設定温度で加熱することができないおそれが有る。
【０００４】
従って、熱板の温度が設定温度に達した後であっても、熱板の周囲の温度が安定するまではウエハの処理が行われないようにする必要が有る。しかし、上記のようにヒーターの出力は温度センサの検出温度と設定温度とに基づいて制御されているので、熱板の温度が設定温度に達した後は、当該熱板の温度を設定温度に維持するようにヒーターの出力は比較的低く制御されることになる。そのような状態で、熱板の周囲の温度を速やかに上昇させて安定化させることは難しく、熱板の周囲の温度が安定化するには、比較的多くの時間を要する場合が有る。
【０００５】
特許文献１には、熱板の表面を覆うカバーにもヒーターを設けることで、熱板とは独立して熱板の周囲の温度を制御可能な加熱装置について記載されている。しかし、この構成ではヒーターを設ける数が多くなることで、装置の製造コスト及び運用コストが上昇してしまう。特許文献２には、熱板の周囲に設けられるカバー（蓋体）の温度を調整するために、熱容量が比較的大きくなるように構成されたアームを、熱板の温度を上昇させる際にはカバーから離れるように駆動させることで、当該カバーの温度上昇を速やかに行う技術が記載されている。しかし、そのような駆動するアームを設けることは加熱装置の構成が大掛かりになってしまう懸念が有る。また、特許文献３には所定の時間、ヒーターの出力が定格出力とされた後、ＰＩＤ制御が行われるように構成された熱板について示されているが、熱板の周囲温度の調整については考慮されておらず、上記の問題を解決するには不十分である。
【先行技術文献】
【特許文献】
【０００６】
【特許文献１】特開平１０−１８９４２９号公報
【特許文献２】特開２００１−２７４０６４号公報
【特許文献３】特許４３８４５３８号公報
【発明の概要】
【発明が解決しようとする課題】
【０００７】
本発明はこのような事情においてなされたものであり、その目的は、筐体内に設けられる熱板の温度を目標温度まで昇温させるにあたり、当該筐体内における熱板から離れた部位の温度を速やかに安定させて、当該熱板による基板の処理を速やかに開始することができる技術を提供することである。
【課題を解決するための手段】
【０００８】
本発明の基板加熱装置は、筐体内に設けられ、ヒーターによって加熱されると共に、その上に基板が載置される熱板と、
前記熱板の温度を検出する第１の温度検出部と、
前記筐体内であって前記熱板から離れた部位の温度を検出する第２の温度検出部と、
前記ヒーターの電力制御を行う前段電力制御部と、
前記第１の温度検出部と熱板の目標温度との偏差に基づいて、前記ヒーターの電力制御を行う後段電力制御部と、
熱板を目標温度まで昇温させるときに、前記第２の温度検出部の温度検出値が前記熱板の目標温度に対応する前記部位の目標温度である周囲目標温度から予め決められた温度だけ低い温度である制御切り替え用の温度に達するまでは、前段電力制御部によりヒーターの電力制御を行い、前記第２の温度検出部の温度検出値が前記制御切り替え用の温度に達した後は、後段電力制御部によりヒーターの電力制御を行うように電力制御部を切り替える切り替え部と、を備え、
前記前段電力制御部は、前記第１の温度検出部の温度検出値と熱板の目標温度との偏差に基づいて前記ヒーターの電力制御を行うときよりも、前記部位の昇温速度が早くなるように構成されていることを特徴とする。
【０００９】
本発明の基板加熱方法は、筐体内に設けられ、ヒーターによって加熱されると共にその上に基板が載置される熱板と、
前記熱板の温度を検出する第１の温度検出部と、
前記筐体内であって前記熱板から離れた部位の温度を検出する第２の温度検出部と、
前記ヒーターの電力制御を行う前段電力制御部と、
前記第１の温度検出部と熱板の目標温度との偏差に基づいて、前記ヒーターの電力制御を行う後段電力制御部と、
を備える基板加熱装置を用いた基板加熱方法において、
熱板を目標温度まで昇温させるときに、前記第２の温度検出部の温度検出値が前記熱板の目標温度に対応する前記部位の目標温度である周囲目標温度から予め決められた温度だけ低い温度である制御切り替え用の温度に達するまでは、前段電力制御部によりヒーターの電力制御を行い、前記第２の温度検出部の温度検出値が前記制御切り替え用の温度に達した後は、後段電力制御部によりヒーターの電力制御を行うように電力制御部を切り替える工程と、
前記第１の温度検出部の温度検出値と熱板の目標温度との偏差に基づいて前記ヒーターの電力制御を行うときよりも、前記部位の昇温速度が早くなるように前記前段電力制御部による電力制御を行う工程と
を含むことを特徴とする。
【００１０】
本発明の記憶媒体は、ヒーターによって加熱されると共に、その上に基板が載置される熱板を備えた基板加熱装置に用いられるコンピュータプログラムを格納した記憶媒体であって、前記プログラムは本発明の基板処理方法を実行するためにステップが組まれていることを特徴とする。
【発明の効果】
【００１１】
本発明によれば、熱板を目標温度まで昇温させるときに、熱板から離れた部位の温度を検出する第２の温度検出部の温度検出値が、熱板の目標温度に対応する上記の部位の目標温度である周囲目標温度から予め決められた温度だけ低い温度である制御切り替え用の温度に達するまでは、前段電力制御部によりヒーターの電力制御を行う。そして、第２の温度検出部の温度検出値前記制御切り替え用の温度に達した後は、後段電力制御部によりヒーターの電力制御を行う。前段電力制御部は、熱板の温度を検出する第１の温度検出部の温度検出値と熱板の目標温度との偏差に基づいてヒーターの電力制御を行うときよりも、上記の部位の昇温速度が早くなるように構成されている。従って、速やかに熱板から離れた部位の温度を安定化させることができ、基板の加熱処理を速やかに開始することができる。
【図面の簡単な説明】
【００１２】
【図１】本発明の実施形態に係る加熱装置の縦断側面図である。
【図２】前記加熱装置の横断平面図である。
【図３】前記加熱装置を構成するヒーターに印加される電圧波形を示す模式図である。
【図４】前記加熱装置に設けられる熱板の温度を制御する制御部のブロック図である。
【図５】前記制御部に含まれるデータを示す模式図である。
【図６】前記熱板の設定温度を上昇させるときの熱板周囲温度及びヒーター出力の推移を示すタイミングチャートである。
【図７】実施例と比較例における熱板周囲温度の推移を示すタイミングチャートである。
【図８】前記熱板の設定温度を低下させるときの前記加熱装置の動作を示す説明図である。
【図９】前記熱板の設定温度を低下させるときの前記加熱装置の動作を示す縦断側面である。
【図１０】前記制御部の他の構成例を示す模式図である。
【図１１】前記加熱装置の他の構成例を示す説明図である。
【図１２】評価試験の結果を示すグラフ図である。
【図１３】評価試験の結果を示すグラフ図である。
【発明を実施するための形態】
【００１３】
本発明に係る基板加熱装置の一実施形態であるウエハＷの加熱装置１について、図１の縦断側面図、図２の横断平面図を夫々参照しながら説明する。この加熱装置１に搬送されるウエハＷの表面にはレジスト膜が形成されており、当該レジスト膜の表面は、この加熱装置１による加熱後に現像処理を行うことでレジストパターンが形成されるように露光されている。つまり、この加熱装置１は、露光によりレジスト膜に生じた定在波を除去し、ウエハＷに形成されたレジスト膜が化学増幅型である場合には露光により生じた酸を拡散させる、ポストエクスポージャベーク（ＰＥＢ）を行う。
【００１４】
図中１１は加熱装置１の筐体であり、側壁にウエハＷの搬送口１２を備えている。筐体１１内において搬送口１２が開口している側を前方側とすると、筐体１１内の後方側には、水平な円形の熱板２が設けられている。この熱板２には、例えば発熱抵抗体からなるヒーター２１と、第１の温度検出部をなす温度センサ２２とが埋設されている。温度センサ２２は、熱板２の表面の温度に相当する検出信号を、後述の制御部４に出力する。ヒーター２１により加熱された熱板２の表面に、上記のウエハＷが載置されて、加熱処理が行われる。図中２３は支持部材であり、熱板２を側方から囲み、筐体１１の底部から浮くように支持している。熱板２は厚さ方向に形成された貫通孔を３つ備えている。各貫通孔には垂直なピン２４が挿通されている。当該ピン２４は昇降機構２５により昇降し、ピン２４の先端は熱板２の表面において突没する。
【００１５】
図中２６は円形のカバーであり、側壁と、当該側壁に支持された天板２７とにより構成されている。図中２８は昇降機構であり、熱板２上においてカバー２６を昇降させる。ウエハＷを加熱処理する際には、図１に示すようにカバー２６の側壁の下端は熱板２に接し、カバー２６と熱板２とにより、ウエハＷの周囲に区画された処理空間２９が形成される。ウエハＷを加熱処理する際には、このように区画された処理空間２９を形成することで、処理空間２９の外部の気流の変化によってウエハＷの温度が影響されることを防ぐことができる。
【００１６】
筐体１１内において、カバー２６の天板２７は、当該熱板２の温度変化に応じてその温度が変化する。図中３１は、当該天板２７の中心部に埋設された第２の温度検出部をなす温度センサであり、当該天板２７の温度に相当する検出信号を、後述の制御部４に出力する。上記の温度センサ２２と温度センサ３１とを区別するために、以降は温度センサ２２を熱板温度センサ２２、温度センサ３１を熱板周囲温度センサ３１と記載する。また、熱板温度センサ２２から出力される検出信号によって検出される温度を熱板温度、熱板周囲温度センサ３１から出力される検出信号によって検出される温度を熱板周囲温度として記載する。
【００１７】
筐体１１の天井には複数のノズル３２が設けられている。各ノズル３２はエアの供給源３３に接続されており、当該供給源３３から供給されたエアを、筐体１１内における熱板２の上方領域に吐出することができる。このエアは、熱板２と当該熱板２の上方領域の温度を低下させる冷却ガスである。
【００１８】
図中３４は水平な板状のアームであり、表面にウエハＷが載置される。このアーム３４は、移動機構３５により前後方向に移動し、熱板２の支持部材２３よりも前方の待機位置（図１に示す位置）と、熱板２の上方の位置との間で移動することができる。待機位置は第１の位置であり、熱板２の上方の位置は第１の位置よりも熱板２に近い第２の位置である。アーム３４が待機位置に位置するときに、搬送口１２から筐体１１内に進入した加熱装置１の外部の搬送機構が昇降することで、当該外部の搬送機構とアーム３４との間でウエハＷの受け渡しが行われる。また、図２中３６はアーム３４の後端から前方側に向けて形成されたスリットであり、熱板２上にアーム３４が位置したときに、上記のピン２４は当該スリット３６を介してアーム３４上に突出することができ、ピン２４の昇降とアーム３４の進退との協働により、熱板２とアーム３４との間でウエハＷの受け渡しが行われる。このように、アーム３４はウエハＷを搬送する搬送機構を構成する。
【００１９】
さらに、アーム３４は図示しない冷却水の流路を備えており、加熱装置１の稼働中、当該流路を常時冷却水が流通することにより、当該アーム３４の表面は所定の温度になるように調整されている。そのように温度が調整されていることにより、冷却部であるアーム３４は熱板２から受け渡されたウエハＷを冷却する。また、このアーム３４は、後述するように熱板２及び熱板２の上方領域の温度を低下させる役割も有する
【００２０】
ところで図１に示すように上記のヒーター２１は、スイッチング素子を含むＳＳＲ（ソリッドステートリレー）４１を介して交流電源４２に接続されている。従って、ＳＳＲ４１がオン状態となるタイミングが制御されることで、ヒーター２１への供給電力が制御され、それによってヒーター２１の発熱量が制御される。このオン状態となるタイミングの制御は、後述の制御部４から当該ＳＳＲ４１に供給される制御信号に基づいて行われる。なお、このＳＳＲ４１は、例えばオンオフの動作が電圧の０Ｖ付近で行われるゼロクロス動作を行う。
【００２１】
ＳＳＲ４１によりヒーター２１に電力が供給される期間Ｎ２／所定の周期Ｎ１×１００（単位：％）をヒーター２１の出力とする。図３はヒーター２１の出力が１００％である場合と、５０％である場合とについて、ヒーター２１に供給される交流電圧の波形を概略的に実線の曲線として示している。なお、図中の点線の曲線の波形は、上記のＳＳＲ４１によってヒーター２１と交流電源４２との接続が絶たれてヒーター２１への出力がオフになっていることを示している。このように制御部４からＳＳＲ４１に出力される上記の制御信号によってヒーター２１への電力の供給が制御されるので、当該制御信号は、ヒーター２１へ供給する電力の大きさを指定する電力指令値に相当する。
【００２２】
続いて図４のブロック図を参照して、制御部４について説明する。制御部４は、熱板２の温度の設定値（熱板２の設定温度）が変更された際に、熱板２の温度及び熱板２の周囲の温度が速やかに安定するように上記のヒーター２１の出力を制御することができるように構成されており、コントローラ４３と温度調整器５１とを備えている。コントローラ４３及び温度調整器５１は各々コンピュータを含み、互いに接続されている。
【００２３】
コントローラ４３は、加熱装置１のユーザーによって設定される熱板２の温度の設定値（熱板２の設定温度）が入力される入力部４４を備えている。熱板２の温度がこの設定温度になるように、上記のヒーター２１の出力が制御される。この入力部４４はキーボードやタッチパネルなどの機器により構成されることで、ユーザーが当該機器を介して直接、設定温度を入力することができるようにしてもよいし、データの受信機として構成されることで、制御部４に接続されるコンピュータから送信された設定温度のデータが受信されるようにしてもよい。
【００２４】
また、コントローラ４３はメモリ４５及びデータ処理部４６を備えている。記憶部であるメモリ４５には、熱板２の設定温度と、熱板２が当該設定温度に達し、且つ熱板２の周囲の雰囲気の温度も安定化したときにおける上記の各センサ２２、３１により検出される熱板温度及び熱板周囲温度との対応関係が記憶されている。
【００２５】
図５の表は、上記のメモリ４５に記憶された対応関係の一例を示している。このような対応関係は、例えば予め実験を行うことにより取得しておく。読み出し部であるデータ処理部４６は、メモリ４５に記憶された対応関係より、入力された熱板２の設定温度に対応する熱板温度及び熱板周囲温度を読み出し、読み出した各温度を温度調整器５１に出力する。例えば、熱板２の設定温度が１８０℃として入力された場合には、図５の表より、熱板温度は１８０℃、熱板周囲温度は１３０℃として読み出されて、温度調整器５１に出力される。このようにメモリ４５から読み出された熱板温度、メモリ４５から読み出された熱板周囲温度となるように、センサ２２により検出される熱板温度、センサ３１により検出される熱板周囲温度が夫々合わせ込まれるので、以降はこのように読み出された熱板温度を目標熱板温度、読み出された熱板周囲温度を目標熱板周囲温度として記載する。即ち、メモリ４５には熱板２の設定温度と、目標熱板温度と、目標熱板周囲温度とを対応付けたデータが記憶されている。なお、この図５の例では、熱板２の設定温度は目標熱板温度と一致している。
【００２６】
続いて、温度調整器５１について説明する。温度調整器５１は後段電力制御部であるＰＩＤ演算部５２と、前段電力制御部である固定出力指示部５３と、切り替え部であるスイッチ５４と、判定部５５と、を備えている。ＰＩＤ演算部５２及び固定出力指示部５３は、上記のＳＳＲ４１に制御信号を送信する。スイッチ５４によってＰＩＤ演算部５２からＳＳＲ４１に制御信号が出力される状態と、固定出力指示部５３からＳＳＲ４１に制御信号が出力される状態とが切り替えられる。
【００２７】
ＰＩＤ演算部５２は、熱板温度と目標熱板温度とを取り込み、これらの偏差を算出する。そして、当該偏差に基づいて熱板温度が目標熱板温度になるようにＰＩＤ制御が行われるように、制御信号を出力する。固定出力指示部５３は、ヒーター２１の出力が１００％、５０％または０％となるように制御信号を出力する。詳しくは後述するように、熱板２の設定温度を上昇させるにあたり、固定出力指示部５３は、熱板周囲温度が比較的低い温度範囲に含まれるときにはヒーター２１の出力が１００％となるように、比較的高い温度範囲に含まれるときにはヒーター２１の出力が５０％となるように、熱板温度に依らず、予め決められたパターンで制御信号（電力指令値）を出力する。判定部５５は、熱板２の設定温度が変更されたときに、後述のように各種の判定を行い、スイッチ５４の切り替えを制御する。
【００２８】
上記のデータ処理部４６、ＰＩＤ演算部５２、固定出力指示部５３、スイッチ５４及び判定部５５は、例えばプログラムにより構成されている。また、例えばコントローラ４３には、昇降機構２５、２８、移動機構３５、エア供給源３３に対して制御信号を送信して、ピン２４の昇降、カバー２６の昇降、アーム３４の進退、ノズル３２からのエアの給断などの動作を制御する図示しないプログラムも含まれている。これらの各プログラムは、後述の処理を実行できるようにステップ群が組まれており、例えばハードディスク、コンパクトディスク、光磁気ディスク、メモリカードなどの記憶媒体に格納された状態で、制御部４にインストールされている。
【００２９】
上記の加熱装置１において、第１のロットに属するウエハＷの加熱処理が終了した後、第２のロットに属するウエハＷの加熱処理が行われる前に、熱板２の設定温度の変更が行われる。以下、この熱板２の設定温度が変更されたときの加熱装置１の動作について説明する。
【００３０】
（熱板２の設定温度が上昇する場合）
熱板周囲温度の推移と、ヒーター２１の出力の推移とを互いに対応させて示した図６のタイミングチャートを適宜参照しながら、熱板２の設定温度をＴ℃から、Ｔ℃よりも高いＴ１℃に変更する場合について説明する。コントローラ４３の入力部４４に設定温度Ｔ１℃が入力され、この設定温度Ｔ１℃に対応する目標熱板温度（Ｔ２℃とする）及び目標熱板周囲温度（Ｔ３℃とする）がメモリ４５から読み出されて、温度調整器５１に送信される。なお、図５で説明したように、この例では設定温度と目標熱板温度とは等しいため、Ｔ１℃＝Ｔ２℃である。
【００３１】
そして、熱板周囲温度センサ３１によって検出される熱板周囲温度が、第１の昇温用設定温度範囲Ｒ１、第２の昇温用設定温度範囲Ｒ２、第３の昇温用設定温度範囲Ｒ３のうちのいずれに含まれるかが判定される。図６に示すように、第１の昇温用設定温度範囲Ｒ１は、Ｔ３℃より低く、且つ（Ｔ３−Ａ１）℃以上の温度範囲であり、第２の昇温用設定温度範囲Ｒ２は、（Ｔ３−Ａ１）℃より低く、且つ（Ｔ３−Ａ２）℃以上の温度範囲であり、第３の昇温用設定温度範囲Ｒ３は（Ｔ３−Ａ２）℃より低い温度範囲である。上記のＴ、Ｔ１〜Ｔ３、Ａ１、Ａ２は、各々正の数である。Ａ１、Ａ２については予め設定された定数であり、Ａ１＜Ａ２である。
【００３２】
ここでは熱板周囲温度が、第３の昇温用設定温度範囲Ｒ３に含まれると判定されたものとする。そのように判定されると、スイッチ５４により固定出力指示部５がＳＳＲ４１に制御信号を出力する状態となり、ＳＳＲ４１にヒーター２１の出力が１００％となるように制御信号が出力され（チャート中、時刻ｓ１）、熱板温度及び熱板周囲温度が共に急激に上昇する。
【００３３】
そして、熱板周囲温度が第２の昇温用設定温度範囲Ｒ２に含まれると判定されると、固定出力指示部５３からＳＳＲ４１にヒーター２１の出力が５０％となるように制御信号が出力され（時刻ｓ２）、熱板温度及び熱板周囲温度の上昇が続く。然る後、熱板周囲温度が第１の昇温用設定温度範囲Ｒ１に含まれる、即ち、（Ｔ３−Ａ１）℃に達したと判定されると、スイッチ５４によりＰＩＤ演算部５２がＳＳＲ４１に制御信号が出力する状態となり、熱板温度センサ２２により検出される熱板温度と目標熱板温度Ｔ２との差分が算出され、熱板温度のＰＩＤ制御が開始される（時刻ｓ３）。
【００３４】
時刻ｓ１〜ｓ３でヒーター２１の出力が１００％、５０％と比較的高い出力とされていたことで、熱板温度は例えば目標熱板温度Ｔ２を超えているため、ヒーター２１の出力はＰＩＤ制御の開始後０％の状態で推移し、熱板温度が下降する。また、熱板２の余熱によって熱板周囲温度は上昇を続け、その後に下降する。熱板温度の下降が続き、目標熱板温度Ｔ２を下回るとヒーター２１の出力が上昇し（時刻ｓ４）、当該熱板温度が目標熱板温度Ｔ２に達して安定化すると共にヒーター２１の出力も安定化する。そして、熱板周囲温度が目標熱板周囲温度Ｔ３℃に達して安定化する（時刻ｓ５）。その後、熱板２に第２のロットのウエハＷが載置されて加熱処理が行われる。図６に示すように、時刻ｓ１〜時刻ｓ３までの固定出力指示部５によりヒーター２１の出力の制御が行われる期間の熱板周囲温度の昇温速度は、時刻ｓ３より後における熱板温度と目標熱板温度Ｔ２とに基づいてＰＩＤ演算部５２によってヒーター２１の出力の制御を行う期間の昇温時における熱板周囲温度の昇温速度よりも早い。このように熱板周囲温度を上昇させることができるように、固定出力指示部５が構成されている。
【００３５】
上記のように行うヒーター２１の出力の制御の効果を示すために、比較例として、固定出力指示部５３による制御は行わず、上記の時刻ｓ１から熱板温度と目標熱板温度Ｔ２とに基づいてＰＩＤ演算部５２によるヒーター２１の制御を行った場合における熱板周囲温度の推移を、図７中のグラフに鎖線で示している。なお、図７中の実線は、図６で述べたようにヒーター２１の出力の制御を行った場合、即ち発明の実施例の熱板周囲温度の推移を示しており、図６で示した熱板周囲温度のグラフと同じものである。
【００３６】
比較例では熱板温度が上昇して目標熱板温度Ｔ２との偏差が小さくなると、ヒーター２１の出力が低下するように制御されるので、熱板周囲温度の上昇が実施例に比べて緩やかである。即ち、上記の固定出力指示部５３は、仮に熱板温度と目標熱板温度Ｔ２とに基づいてＰＩＤ演算部５２によってヒーター２１の出力の制御を行うとした場合よりも熱板周囲温度の昇温速度が大きくなるように構成されている。そして、比較例ではそのように熱板周囲温度は緩やかに上昇するので、当該比較例において熱板周囲温度が目標熱板周囲温度Ｔ３に到達する時刻ｓ６は、実施例で熱板周囲温度が目標熱板周囲温度Ｔ３に到達する時刻ｓ５よりも後の時刻である。つまり実施例の方が、より早くウエハＷの加熱処理を開始することができる。
【００３７】
ところで、実施例において上記のように熱板の設定温度を変更するにあたり、設定温度Ｔ１℃が入力されたときに熱板周囲温度が第２の昇温用設定温度範囲Ｒ２に含まれると判定された場合は、上記の一連の動作のうち、当該第２の昇温用設定温度範囲Ｒ２に含まれると判定されたときの動作から開始される。同様に、設定温度Ｔ１℃が入力されたときに熱板周囲温度が第１の昇温用設定温度範囲Ｒ１に含まれると判定された場合は、上記の一連の動作のうち、当該第１の昇温用設定温度範囲Ｒ１に含まれると判定されたときの動作から開始される。
【００３８】
（熱板２の設定温度が下降する場合）
次に、熱板２の設定温度をＴ℃から、Ｔ℃よりも低いＴ４℃に変更させる場合について、熱板２の設定温度を下降させる場合の動作をまとめた図８を参照して説明する。入力部４４に設定温度Ｔ４が入力され、この設定温度Ｔ４℃に対応する目標熱板温度（Ｔ５℃とする）及び目標熱板周囲温度（Ｔ６℃とする）が読み出されて、温度調整器５１に送信される。なお、この例では設定温度と目標熱板温度とは等しいため、Ｔ４℃＝Ｔ５℃である。
【００３９】
そして、センサ３１によって検出される熱板周囲温度が、第１の降温用設定温度範囲Ｒ４、第２の降温用設定温度範囲Ｒ５のうちのいずれに含まれるかが判定される。図８に示すように、第１の降温用設定温度範囲Ｒ４は、Ｔ６℃より高く且つ（Ｔ６＋Ｂ１）℃以下の温度範囲であり、第２の降温用設定温度範囲Ｒ５は、（Ｔ６＋Ｂ１）℃より高い温度範囲である。上記のＴ４〜Ｔ６、Ｂ１は、各々正の数であり、Ｂ１については予め設定された定数である。
【００４０】
ここでは熱板周囲温度が、第２の降温用設定温度範囲Ｒ５に含まれると判定されたものとする。そのように判定されると、スイッチ５４により固定出力指示部５３によって制御信号が制御される状態となり、当該制御信号出力部５５からＳＳＲ４１にヒーター２１の出力が０％となるように制御信号が出力される。つまりヒーター２１がオフになる。そして、カバー２６が熱板２１から上昇し、図９に示すように待機位置から熱板２１上にアーム３４が移動すると共に、ノズル３２からエアが吐出される。
【００４１】
アーム３４及び吐出されたエアにより、熱板温度及び熱板周囲温度が急激に低下し、熱板周囲温度が第１の降温用設定温度範囲Ｒ４に含まれると判定されると、エアの吐出が停止すると共にアーム３４が待機位置に移動する。ヒーター２１の出力は０％のままであり、自然冷却により熱板温度及び熱板周囲温度の低下が進行する。然る後、熱板周囲温度が降下して例えばＴ６℃に達すると、ＰＩＤ演算部５２からＳＳＲ４１に制御信号が出力される状態となり、センサ２２により検出される熱板温度と目標熱板温度Ｔ５との偏差が算出され、当該偏差に基づいて熱板温度のＰＩＤ制御が開始される。そして、熱板温度が目標熱板温度Ｔ５に達して安定化して、ヒーター２１の出力が安定化する。その後、熱板２に第２のロットのウエハＷが載置されて加熱処理が行われる。
【００４２】
なお、設定温度Ｔ４℃が入力されたときに熱板周囲温度が第１の降温用設定温度範囲Ｒ４に含まれると判定された場合は、上記の一連の動作のうち、当該第１の降温用設定温度範囲Ｒ４に含まれると判定されたときの動作から開始される。ところで、このように熱板２の設定温度を低下させる場合、固定出力指示部５３による制御とＰＩＤ演算部５２による制御とが切り替わるタイミングは上記の例に限られず、Ｔ６℃よりも予め設定した高い温度あるいはＴ６℃よりも予め設定した低い温度に達したときに切り替わってもよい。また、熱板周囲温度が降温用設定温度範囲Ｒ４、Ｒ５に含まれるときもＰＩＤ演算部５２によりヒーター２１の出力が制御されるようにしてもよい。その場合においても、熱板周囲温度が目標熱板周囲温度よりも高いので、ヒーター２１の出力は０％になるように制御される。
【００４３】
また、上記の熱板２の設定温度の切り替えによるヒーター２１の出力制御は、ウエハＷのロットが切り替わるときに行われるものとして説明したがこのようなタイミングで行われることには限られない。例えば、熱板２の設定温度を上昇させるときのヒーター２１の出力制御については、このロットの切り替わり時の他に、加熱装置１の電源を投入後、最初に加熱装置１に搬送されるロットを処理するために熱板２の設定温度が新規に入力されたときにも行われる。
【００４４】
上記の加熱装置１においては、熱板２の設定温度を上昇させるにあたり、固定出力指示部５３が、当該固定出力指示部５３による制御が行われている時間帯において、ＰＩＤ演算部５２による制御が行われている期間の熱板周囲温度の昇温速度よりも、昇温速度が大きくなるようにヒーター２１の出力を制御する。また、上記のように熱板周囲温度が、目標熱板周囲温度Ｔ３よりも予め決められた温度Ａ１だけ低い制御切り替え用の温度に達したときに、固定出力指示部５３による制御を停止し、ＰＩＤ演算部５２による制御を開始するので、熱板周囲温度が目標熱板周囲温度を大きく上回ることを防ぐことができる。さらに、最終的にはＰＩＤ演算部５２によりヒーター２１の出力を制御し、熱板周囲温度を目標熱板周囲温度に、熱板温度を目標熱板温度に夫々合わせ込む。このようにヒーター２１の出力を制御することで、熱板周囲温度の目標熱板周囲温度への合わせ込み、熱板温度の目標熱板温度への合わせ込みを速やかに行うことができる。従って、熱板２の設定温度の変更開始後、加熱装置１にてウエハＷの加熱処理を行うまでの時間が長くなることを抑制し、加熱装置１のスループットの向上を図ることができる。
【００４５】
さらに、熱板２の設定温度を上昇させるにあたり、固定出力指示部５３によるヒーター２１の出力の制御中、熱板周囲温度が上記の制御切り替え用温度に近づくと、ヒーター２１の出力が１００％から５０％により降下するようにしている。それによって、より確実に、熱板周囲温度が目標熱板周囲温度を大きく上回ることを防ぐことができるので、より速やかに熱板周囲温度の目標熱板周囲温度への合わせ込みを行い、ウエハＷの処理を速やかに開始することができる。なお、固定出力指示部５３によるヒーター２１の出力は１００％及び５０％の２段階に制御されることには限られず、より多段に制御されてもよい。例えば、熱板周囲温度に応じて１０％刻みでヒーター２１の出力が変更されるように制御されてもよい。
【００４６】
ところで固定出力指示部５３が設けられず、ＰＩＤ演算部５２によって、常にヒーター２１の出力制御が行われるようにしてもよい。図１０は、そのように構成された制御部５の模式図を示している。既述の制御部４との差異点を述べると、熱板温度センサ２２からの出力及び熱板周囲温度センサ３１からの出力の一方が、スイッチ５７によって選択されてＰＩＤ演算部５２に取り込まれる。また、目標熱板周囲温度及び目標熱板周囲温度のうちの一方がスイッチ５８によって選択されてＰＩＤ演算部５２に取り込まれる。スイッチ５７、５８の動作は、判定部５５による上記の判定結果に従って制御される。この構成例では、ＰＩＤ演算部５２及びスイッチ５７、５８が、前段電力制御部及び後段電力制御部を構成する。
【００４７】
以下、熱板２の設定温度を上昇させるときの制御部５による制御を、制御部４による制御との差異点を中心に説明する。図６で説明したように熱板周囲温度が目標熱板周囲温度Ｔ３から比較的大きく離れた昇温用設定温度範囲Ｒ２、Ｒ３に含まれるときには、スイッチ５７、５８により熱板周囲温度と目標熱板周囲温度Ｔ３とがＰＩＤ演算部５２に取り込まれる状態となる。そして、ＰＩＤ演算部５２によって、熱板周囲温度と目標熱板周囲温度Ｔ３との偏差が算出され、当該偏差に基づいて熱板周囲温度のＰＩＤ制御が行われるようにヒーター２１の出力が制御される。
【００４８】
そして、熱板周囲温度が目標熱板周囲温度Ｔ３に比較的近い昇温用設定温度範囲Ｒ１に達すると（時刻ｓ７とする）、スイッチ５７、５８により熱板温度と目標熱板温度Ｔ２とがＰＩＤ演算部５２に取り込まれる状態となる。そのような状態となると、これらの温度の偏差が算出されて、熱板温度のＰＩＤ制御が行われるようにヒーター２１の出力が制御される。
【００４９】
この制御部５を備えた加熱装置１において、設定温度が変更されてから上記の時刻ｓ７に至るまでは、ＰＩＤ演算部５２によって熱板周囲温度と目標熱板周囲温度Ｔ３との偏差に基づいてヒーター２１の出力が制御される。従って時刻ｓ７より後の熱板周囲温度に関わらず熱板温度と目標熱板温度との偏差に基づいてヒーター２１の出力を制御する期間の熱板周囲温度の昇温速度よりも、時刻ｓ７に至るまでの期間における熱板周囲温度の昇温速度を大きくすることができる。従って、制御部４を備えた加熱装置１と同様、熱板周囲温度を速やかに目標熱板周囲温度に合わせ込むことができるので、加熱装置１のスループットの向上を図ることができる。ただし、上記の固定出力指示部５３を設けることによって、目標熱板温度及び熱板周囲温度に関わらず、ヒーター２１の出力を１００％、５０％という比較的高い出力にすることができるので、より速やかに熱板周囲温度を目標熱板周囲温度に合わせ込むことができるため好ましい。
【００５０】
ところで、熱板温度センサ２２に基づいて熱板温度を制御するにあたり、熱板温度と目標熱板温度との偏差に基づいて制御が行われればよいので、熱板温度としてはＰＩＤ制御されることに限られず、例えばＰＩ制御されるようにしてもよい。また、熱板周囲温度センサ３１は、筐体１１内において熱板２の温度変化に応じて温度が変化する雰囲気に設けられていればよく、配置される位置としては、上記の例に限られない。図１１では、熱板周囲温度センサ３１の他の配置例を示している。この図に示すように熱板周囲温度センサ３１は、カバー２６の天板２７の周縁部に設けられていてもよいし、筐体１１の天井において天板２７の中心部に重なる位置や、天板２７の周縁部に重なる位置に設けられていてもよい。また、熱板周囲温度センサ３１は、これらの位置に各々設けられ、各熱板周囲温度センサ３１による検出温度の平均値に基づいて制御が行われるようにしてもよい。
【００５１】
さらに、上記のエアを供給するノズルは、例えば熱板２の下方に設けられ、熱板２に向けてエアを吐出し、熱板２を冷却することによって熱板周囲温度も低下させるようにしてもよい。また、上記の熱板温度センサ２２は放射温度計により構成され、熱板２から離れた位置に配置されてもよい。つまり、熱板温度センサ２２は熱板２に設けることには限られない。
【００５２】
さらに、加熱装置１は既述の用途に用いることに限られず、例えば各種の塗布膜を形成するための薬液をウエハＷに塗布した後、当該塗布膜に残留する溶剤を除去するためにウエハＷを加熱するために用いてもよい。薬液としては、例えばレジストや、レジスト膜の上層または下層に形成する反射防止膜を形成するための薬液や、絶縁膜を形成するための薬液などが挙げられる。また、現像を行うためにウエハＷに現像液を供給した後にウエハＷを乾燥させるために加熱する場合に、加熱装置１を用いてもよい。また、本発明は上記した各実施形態に限られず、各実施形態を適宜変更したり、組み合わせたものについても含む。
【００５３】
評価試験
本発明に関連して行われた試験について説明する。評価試験１として、図１で説明した加熱装置１を用いて熱板２の設定温度を７０℃から１１０℃に変更した場合における熱板温度及び熱板周囲温度の推移を調べた。この評価試験１の加熱装置１では上記の固定出力指示部５３によるヒーター２１の出力の制御は行わず、ＰＩＤ演算部５２によるヒーター２１の出力の制御のみを行った。ただし、設定温度を７０℃から直接１１０℃とはせずに、７０℃から一旦１５０℃にした後で１１０℃に低下させている。つまりこの評価試験１では、ヒーター２１の設定温度を１５０℃にすることで、上記の発明の実施の形態と同様に、設定温度の変更直後にヒーター２１の出力が一時的に非常に大きくなる状態とし、その後にヒーター２１の出力が低下することで熱板温度、熱板周囲温度が目標熱板温度、目標熱板周囲温度に夫々合わせ込まれるようにしている。また、比較試験１として熱板２の設定温度を７０℃から直接１１０℃に変更したことを除いては、評価試験１と同様の条件で熱板温度及び熱板周囲温度の推移を調べた。
【００５４】
図１２、図１３のグラフは評価試験１、比較試験１の結果を夫々示している。グラフの横軸は、熱板２の設定温度を変更する直前の時刻を０秒とした経過時間（単位：秒）を表し、グラフの縦軸は温度（単位：℃）を表している。各グラフ中、点線は熱板２の設定温度を、一点鎖線は熱板温度を、実線は熱板周囲温度を夫々示している。これらのグラフに示されるように、評価試験１で熱板及び熱板周囲温度が安定するのは経過時間がおよそ９００秒のとき、比較試験１で熱板温度及び熱板周囲温度が安定するのはおよそ２８００秒のときである。つまり、評価試験１の方が比較試験１よりも熱板２の設定温度の変更後に、早いタイミングで熱板温度及び熱板周囲温度が安定するので、ウエハＷを熱板２に搬送して加熱処理することができる。従って、この評価試験１から本発明の効果が示された。
【符号の説明】
【００５５】
Ｗ        ウエハ
１        加熱装置
１１      筐体
２        熱板
２１      ヒーター
２２      熱板温度センサ
２３      周囲温度センサ
４        制御部
４１      ＳＳＲ
４２      交流電源
【図１】
2018046070.tif 000003
【図２】
2018046070.tif 000004
【図３】
2018046070.tif 000005
【図４】
2018046070.tif 000006
【図５】
2018046070.tif 000007
【図６】
2018046070.tif 000008
【図７】
2018046070.tif 000009
【図８】
2018046070.tif 000010
【図９】
2018046070.tif 000011
【図１０】
2018046070.tif 000012
【図１１】
2018046070.tif 000013
【図１２】
2018046070.tif 000014
【図１３】
2018046070.tif 000015